(57)【要約】【課題】  封緘性に優れていることはもとより、開封時に不本意な破れが生じることのなく、しかも箱本体前側壁表面のデザインに対する悪影響を可及的小とできる包装用紙箱を提供する。【解決手段】  箱本体の上面開口を閉蓋する蓋片５の先端に箱本体内側に差し込まれる差し込み片６が連設されている。差し込み片の先端に摘み片８が連設されると共に、該摘み片の左右に差し込み片の先端に箱本体前側壁外面に貼着される重合貼着片７、７が破断用切目１０を介して連設されている。破断用切目は、差し込み片中央のつまみ部の左右に斜め８度の立ち上がり角度を有する複数の断続切目を主体としている。断続切目の一端に、貼着部外側方に向かって延びた第１屈曲切目が設けられる一方、隣接する断続切目の他端に、第１屈曲折目との反対方向に延びた第２屈曲切目が設けられている。【選択図】  図１
0003120111.tif 000002
【実用新案登録請求の範囲】
【請求項１】
箱本体の上面開口を閉蓋する蓋片が箱本体後側壁の上縁から連設され、該蓋片の先端に箱本体内側に差し込まれる差し込み片が連設されてなる包装用紙箱において、
差し込み片の先端に摘み片が連設されると共に、該摘み片の左右に位置する差し込み片の先端に、箱本体前側壁外面に貼着される重合貼着片が破断用切目を介して連設されてなり、
前記破断用切目は、前記差し込み片中央のつまみ部の左右に斜め５〜２０度の立ち上がり角度を有する複数の断続切目を主体とし、
前記断続切目の一端に、前記貼着部外側方に向かって延びた第１屈曲切目が設けられる一方、隣接する断続切目の他端に、前記第１屈曲折目との反対方向に延びた第２屈曲切目が設けられていることを特徴とする包装用紙箱。
【請求項２】
請求項１の包装用紙箱において、
前記第１屈曲切目と第２屈曲切目との間隔が０.５〜１.５ｍｍに設定されている包装用紙箱。
【請求項３】
請求項１または請求項２の包装用紙箱において、
第２屈曲切目の長さが、第１屈曲切目の長さより大に設定されている包装用紙箱。
【請求項４】
請求項１ないし請求項３のいずれかに記載の包装用紙箱において、
断続切目と第１屈曲切目及び第２屈曲切目とのなす角度が１３５度以上に設定されている包装用紙箱。
【考案の詳細な説明】
【技術分野】
【０００１】
この考案は、包装用紙箱、例えば食品、医薬品等のようにいったん開封した後に、再封緘して保存しておくことがあるような商品の包装に好適な包装用紙箱に関する。
【背景技術】
【０００２】
この種の包装用紙箱に関しては、以前から種々の提案がなされている（例えば、特許文献１〜３）。
【０００３】
いずれの包装用紙箱も、ある程度の再封緘機能を備えているものである。
【特許文献１】特開平１１−３５０３２号公報（図１）
【特許文献２】実公昭６１−２８７５５号公報（第３図）
【特許文献３】実用新案登録第３０１００３８号公報（図２）
【考案の開示】
【考案が解決しようとする課題】
【０００４】
しかしながら、上記の包装用紙箱は、箱本体の開口を覆う蓋片に破断用切目が設けられておりいささか再封緘性に問題があったり、あるいは開封時に破断用切目から不本意な破れが生じたりしてしまうことがある。
【０００５】
また、蓋片の延長片が。開封前においては箱本体前側壁に重合貼着されている構成のものにあっては、その重合貼着部が箱本体前側壁上部を大きく占有するために、箱本体前側壁表面に施されるデザインが制限されてしまうものであった。
【０００６】
この考案は、このような事情に鑑みてなされたもので、封緘性に優れていることはもとより、開封時に不本意な破れが生じることのなく、しかも箱本体前側壁表面のデザインに対する悪影響を可及的小とできる包装用紙箱を提供することを目的とする。
【課題を解決するための手段】
【０００７】
上記目的を達成するために、この考案は、箱本体の上面開口を閉蓋する蓋片が箱本体後側壁の上縁から連設され、該蓋片の先端に箱本体内側に差し込まれる差し込み片が連設されてなる包装用紙箱において、差し込み片の先端に摘み片が連設されると共に、該摘み片の左右に位置する差し込み片の先端に、箱本体前側壁外面に貼着される重合貼着片が破断用切目を介して連設されてなり、前記破断用切目は、前記差し込み片中央のつまみ部の左右に斜め５〜２０度の立ち上がり角度を有する複数の断続切目を主体とし、前記断続切目の一端に、前記貼着部外側方に向かって延びた第１屈曲切目が設けられる一方、隣接する断続切目の他端に、前記第１屈曲折目との反対方向に延びた第２屈曲切目が設けられていることを特徴とする包装用紙箱を、要旨とする。
【０００８】
前記第１屈曲切目と第２屈曲切目との間隔は、０.５〜１.５ｍｍに設定されていることが好ましい。紙箱の紙厚によっても異なるが、狭すぎると、不本意に摘み片を操作させるような力が加わった場合に簡単に開封されてしまうし、広すぎると、必要な時に破断用切目を破断し難くなるからである。
【０００９】
第２屈曲切目の長さは、第１屈曲切目の長さより大に設定されていることが好ましい。
【００１０】
断続切目と第１屈曲切目及び第２屈曲切目とがなす角度は、１３５度以上に設定されていることが好ましい。
【考案の効果】
【００１１】
この考案は、開封するためには、差し込み片と重合貼着片とを分離しなければならず、分離後は、これを元に戻すことができないので、悪戯防止に寄与できる。
【００１２】
開封後は、蓋片先端の差し込み片を、箱本体前側壁の内面に沿わせて箱本体内に差し込むことにより、再封することができ、蓋片の機能が損なわれることがない。
【００１３】
破断用切目は、差し込み片中央のつまみ部の左右に斜め５〜２０度の立ち上がり角度を有する複数の断続切目を主体としているので、差し込み片及び重合貼着部の面積を可及的小として、箱本体前側壁表面に施されるデザインに対する制限を最小限とする。
【００１４】
断続切目の一端に、前記貼着部外側方に向かって延びた第１屈曲切目が設けられる一方、隣接する断続切目の他端に、前記第１屈曲折目との反対方向に延びた第２屈曲切目が設けられているので、開封時の破断がスムーズに行われる。
【００１５】
第１屈曲切目と第２屈曲切目との間隔が、０.５〜１.５ｍｍに設定されている場合には、開封操作がより一層スムーズに行えるものとなる。
【００１６】
断続切目と第１屈曲切目及び第２屈曲切目とのなす角度が、１３５度以上に設定されている場合には、さらに開封操作がスムーズに行えるものとなる。
【考案を実施するための最良の形態】
【００１７】
以下、この考案に係る包装用紙箱を、その実施形態に基づいて、図面を参照して具体的に説明する。
【００１８】
図１は、同包装用紙箱（Ａ）の全体斜視図、図２は、開封時の全体斜視図、図３は、再封緘時の全体斜視図、図４は、同展開状態の平面図、図５は、要部の拡大正面図である。
【００１９】
この包装用紙箱（Ａ）は、図４に展開図で示すように、箱本体が胴貼り用接合片（２５）、後側壁（１）、左側壁（２）、前側壁（３）及び右側壁（４）が横一連に連設されると共に、各側壁の下端に底板構成片（２１）（２２）（２３）（２４）が連設されてなるもので、後側壁（１）の上縁に蓋片（５）が連設され、さらに該蓋片（５）の先端に差し込み片（６）が連設されてなる一般的な形式の形態のものである。
【００２０】
このような一般的な形態に加えて、前記差し込み片（６）の幅方向中央に摘み片（８）が連設される一方、該摘み片の左右に、箱本体前側壁（３）表面に貼着される左右一対の重合貼着片（７）（７）が破断用切目（１０）（１０）を介して差し込み片（６）に連設されている。摘み片（８）と重合貼着片（７）（７）とは、小さい連結部（１１）（１１）により連結されている。
【００２１】
前記破断用切目（１０）は、図５に示すように、差し込み片中央のつまみ部の左右に立ち上がり角度（θ１）が８度の複数の直線状断続切目（１０ａ）（１０ａ）…を主体とし、該断続切目（１０ａ）の一端に、前記重合貼着片（７）外側方に向かって延びた第１屈曲切目（１０ｂ）が設けられる一方、隣接する断続切目（１０ａ）の他端に、前記第１屈曲折目（１０ｂ）との反対方向に延びた第２屈曲切目（１０ｃ）が設けられている。
【００２２】
前記第１屈曲切目（１０ｂ）と第２屈曲切目（１０ｃ）との間隔（ｌ）は、１ｍｍに設定されると共に、第２屈曲切目（１０ｃ）の長さは、第１屈曲切目（１０ｂ）の長さより大に設定されている。
【００２３】
また、断続切目（１０ａ）と第１屈曲切目（１０ｂ）とがなす角度（θ２）が１５５度に設定されると共に、断続切目（１０ａ）と第２屈曲切目（１０ｃ）とがなす角度（θ３）が１５５度に設定され、第１屈曲切目（１０ｂ）と第２屈曲切目（１０ｃ）とは平行状を呈している。
【００２４】
而して、箱本体を所定形態に組み立てた後、箱本体に被包装物を収納する。そして、箱本体の開口を蓋片（５）によって閉蓋し、差し込み片（６）及び重合貼着片（７）（７）を箱本体前側壁（３）に重合させ、重合貼着片（７）（７）を箱本体前側壁（３）に貼着することにより、この包装用紙箱（Ａ）による包装、封緘が完了する。
【００２５】
このような包装状態から、開封するには、まず摘み片（８）をつまんで上方に引き上げると、摘み片（８）と重合貼着片（７）（７）とを連結している小さい連結部（１１）（１１）が先ず破断される。
【００２６】
そして、そのまま摘み片（８）の引き上げを続けると、第１屈曲切目（１０ｂ）と第２屈曲切目（１０ｃ）との間が、順次破断され、差し込み片（６）が箱本体上方まで運ばれると共に、図２に示すように、蓋片（５）が跳ね上がった状態となり、箱本体上面が開口する。
【００２７】
上記摘み片（８）の引き上げよる第１屈曲切目（１０ｂ）と第２屈曲切目（１０ｃ）との間の破断は、強い抵抗を受けることなく極めてスムーズに行われる。
【００２８】
この開口時に、箱本体内の被包装物を取り出し、その後、図３に示すように、差し込み片（６）を箱本体内に差し込み、蓋片（５）により箱本体開口を閉蓋するものとする。この状態において、蓋片（５）の一部を切り裂いたり、切り欠いたりすることがないので、良好な閉蓋状態が得られる。
【図面の簡単な説明】
【００２９】
【図１】この考案の一実施形態に係る包装用紙箱の全体斜視図である。
【図２】同包装用紙箱の開封時の全体斜視図である。
【図３】同包装用紙箱の再封緘時の全体斜視図である。
【図４】同包装用紙箱の展開状態の斜視図である。
【図５】同包装用紙箱の要部正面図である。
【符号の説明】
【００３０】
３・・・・・・・前側壁
５・・・・・・・蓋片
６・・・・・・・差し込み片
７・・・・・・・重合貼着片
８・・・・・・・摘み片
１０・・・・・・破断用切目
１０ａ・・・・・断続切目
１０ｂ・・・・・第１屈曲切目
１０ｃ・・・・・第２屈曲切目
Ａ・・・・・・・包装用紙箱
【図１】
0003120111.tif 000003
【図２】
0003120111.tif 000004
【図３】
0003120111.tif 000005
【図４】
0003120111.tif 000006
【図５】
0003120111.tif 000007